(57)【要約】【課題】電子機器に使用される電池の公差が大きくても電池の大きさに関わらず安定して電池を保持し続けることが可能な電池保持装置の提供することを目的とする。【解決手段】板ばねとしてのマイナス端子３ｂの弾性力により電池１１を保持する電池保持装置１であって、板ばねとしてのマイナス端子３ｂは片持ちの板ばねであり、電池１１を保持したときにマイナス端子３ｂの開放端部４に当接するストッパ部材としてのリブ５を備え、マイナス端子３ｂの弾性力により電池１１を保持したときに、マイナス端子３ｂの開放端部４がリブ５に当接して固定されるので、当接後はマイナス端子３ｂが両端支持となり、電池１１との接点荷重が向上する。【選択図】図４
2006324028.tif 000002
【特許請求の範囲】
【請求項１】
板ばねの弾性力により電池を保持する電池保持装置であって、
電池側が凸になるように折り曲げられ、前記凸に折り曲げられた部分が電池の端子と当接する片持ち板ばねと、
電池を保持したときに前記片持ち板ばねの開放端部と当接するストッパ部材と、
を備えた電池保持装置。
【請求項２】
前記片持ち板ばねは電池のマイナス端子部と当接する位置に配置された請求項１記載の電池保持装置。
【請求項３】
電池が公差内で最小長さの場合に、前記ストッパ部材は前記板ばねの開放端部と当接する位置に配置された請求項１記載の電池保持装置。
【請求項４】
電池が公差内で最大長さの場合に、前記ストッパ部材は前記板ばねの開放端部と当接する位置に配置され、さらに前記板ばねの開放端部は前記ストッパ部材と当接することにより前記折り曲げ部分を広げるように変形する請求項１記載の電池保持装置。
【請求項５】
前記ストッパ部材は、前記板ばねを電池保持装置本体に固定するためのリブを兼ねたものである請求項１から４いずれか１項に記載の電池保持装置。
【請求項６】
複数の電池を保持する電池保持装置であって、隣接する電池のプラス端子とマイナス端子が逆になるように配置した請求項１から５いずれか１項に記載の電池保持装置。
【請求項７】
請求項１から６いずれか１項に記載の電池保持装置を備えた携帯型電子機器。
【発明の詳細な説明】
【技術分野】
【０００１】
本発明は、電子機器の電源として使用される電池を保持する電池保持装置に関する。
【背景技術】
【０００２】
親子電話装置の携帯型子機や携帯型の音楽再生装置等の電子機器は、一般的にその電源として電池が使用される。この場合、その電子機器には、電池を内部に保持するため、一般的にマイナス側がばね性を有する端子、プラス側が固定の端子あるいはばね性を有する端子とした電池保持装置が備えられている。
【０００３】
ところで、このような電子機器に使用される電池（ＪＩＳ（日本工業規格）で標準化された電池）は、その外径寸法の公差が例えば単４形電池では１ｍｍ、単３形・単２形電池では１．５ｍｍ、単１形電池では２ｍｍと大きい。そのため、従来のようにマイナス側あるいはプラス側のばね性のみにより電子を保持する形式では、電池と端子との接点荷重が、最小長さの電池に対しては弱くなり、電池の遊びが大きくなる。そして、このような場合、落下等の衝撃を受けると電池が瞬間的に端子から離れてしまい、機器の電源が瞬時に遮断され、機器の動作が断たれたり、誤動作したりするという問題が生じる。
【０００４】
このような問題を解決するものとして、例えば特許文献１，２に記載のものが知られている。特許文献１には、プラス端子に、マイナス端子の接点圧が作用して電池が当接される固定接点部と、この固定接点部よりも電池側に突出してマイナス端子の接点圧よりも小さい荷重で弾性変形して当接する可動接点部とを設け、衝撃等により電池の荷重がマイナス端子側に作用して変形した場合、可動接点部が弾性復元してプラス電極との当接を維持し、移動による電源の瞬間的な遮断を防止することが記載されている。
【０００５】
また、特許文献２には、前述のようなばね性を有する端子が板ばねで構成されていた場合に、機器の落下、振動等により、ばね電極端子が弾性域を越える変形を受けてしまい、元の位置まで復帰せず、電気的接触不良等を招いてしまうことがあるので、これを防止するために、ばね電極端子側に、電池の電極側端面に当接してばね電極端子の変更をその弾性域内に抑えるストッパを設けることが記載されている。
【特許文献１】特開平７−８５８５１号公報
【特許文献２】実開昭６０−８０６６２号公報
【発明の開示】
【発明が解決しようとする課題】
【０００６】
特許文献１に記載の構成では、プラス端子側に、通常の固定接点部に加えて、可動接点部を設けなければならないので、部品点数が増えてしまうという問題がある。また、可動接点部は固定接点部よりも小さい荷重で弾性変形させなければならないので、固定接点部とは別の材質の材料により形成しなければならず、材料費が嵩んでしまうという問題がある。
【０００７】
また、特許文献２に記載の技術は、ばね電極端子が必要以上に変形して元の位置まで復帰できなくなるという問題点を解決するものであるため、最小長さの電池が保持された場合には、前述したように電池と端子との接点荷重が弱くなり、電池の遊びが大きくなることに変わりない。
【０００８】
そこで、本発明においては、電子機器に使用される電池の公差が大きくても電池の大きさに関わらず安定して電池を保持し続けることが可能な電池保持装置を提供することを目
的とする。
【課題を解決するための手段】
【０００９】
本発明は、板ばねの弾性力により電池を保持する電池保持装置であって、板ばねは片持ちの板ばねであり、電池を保持したときに板ばねの開放端部に当接するストッパ部材を備えた電池保持装置である。
【発明の効果】
【００１０】
本発明によれば、電子機器に使用される電池の公差が大きくても電池の大きさに関わらず安定して電池を保持し続けることが可能となる。
【発明を実施するための最良の形態】
【００１１】
本発明は、板ばねの弾性力により電池を保持する電池保持装置であって、電池側が凸になるように折り曲げられ、凸に折り曲げられた部分が電池の端子に当接する片持ち板ばねと、電池を保持したときに片持ち板ばねの開放端部に当接するストッパ部材と、を備えた電池保持装置であり、板ばねの弾性力により電池を保持したときに、板ばねの開放端部がストッパ部材に当接して開放端部が固定されるので、当接後は板ばねが両端支持となり、電池との接点荷重が向上する。これにより、電池の保持部分の遊びが少なくなり、電池は強い保持力により保持される。すなわち、電子機器に使用される電池の公差が大きくても電池の大きさに関わらず安定して電池を保持し続けることが可能となり、落下等の衝撃による電源の瞬間的な遮断が防止される。
【００１２】
さらに片持ち板ばねを電池のマイナス端子部に当接する位置に配置することにより、ほぼ平面であるマイナス端子の電極との接触不良を防ぐことができる。
【００１３】
さらに電池が公差内で最小長さの場合に、ストッパ部材は板ばねの開放端部に当接する位置に配置する構成により、電池が公差内で最小長さの場合であっても板ばねの開放端部がストッパ部材に当接して開放端部が固定されるので、電池との接点荷重が向上し、電池を強い保持力により保持することができる。
【００１４】
さらに電池が公差内で最大長さの場合に、ストッパ部材を板ばねの開放端部に当接する位置に配置され、さらに板ばねの開放端部はストッパ部材と当接することにより折り曲げ部分を広げるように変形するよう構成することにより、電池が強い保持力により保持することができる。
【００１５】
さらに、ストッパ部材を、板ばねを電池保持装置本体に固定するためのリブと兼ねるものとすることにより、部品点数を少なくすることが可能となる。
【００１６】
さらに、複数の電池を保持する電池保持装置であって、隣接する電池のプラス端子とマイナス端子が逆になるように配置することにより、電池を直列接続したときの電極を接続する部品が簡素化できる。
【００１７】
また、別の本発明は、公差の幅がある電池を電池保持装置により搭載した電話機であって、落下等の衝撃を受けた場合でも電池の大きさに関わらず安定して電池を保持し続けることが可能となる。
【実施例】
【００１８】
以下、本発明の実施の形態について図面を参照して説明する。
【００１９】
（実施の形態１）
図１は本発明の実施の形態１における電池保持装置を備えた携帯型電子機器としての親子電話装置の携帯型子機であって、電池保持装置の蓋を取り外した状態の背面図、図２は図１の電池保持装置を親子電話装置の内側からみた斜視図、図３は図１の電池保持装置を親子電話装置の外側から見た斜視図、図４は図１のＡ−Ａ線断面図であって、（ａ）から（ｃ）は順に電池が電池保持装置に挿入される様子を示す図、図５は図４（ｃ）のマイナス端子側の拡大図である。
【００２０】
図１において、本発明の実施の形態における電池保持装置１は、親子電話装置の携帯型子機１０の裏面側に備えられている。図１の例においては、電池保持装置１は左右に１本ずつ合計２本の電池１１（図３参照。）を保持する保持部２を備える。なお、本実施の形態における電池１１は、ＪＩＳ（日本工業規格）、ＩＳＯ（国際標準化機構）、ＡＮＳＩ（米国規格協会）等の標準化団体により標準化された一次電池および二次電池を含む、いわゆる乾電池タイプの電池である。図１において保持部２の右側は、上側がプラス端子３ａ、下側がマイナス端子３ｂとなっており、保持部２の左側は上下逆の配置となっている。
【００２１】
プラス端子３ａ、マイナス端子３ｂ共にＵ字状の片持ちの板ばねであるが、本実施の形態における電池保持装置１では保持部２のマイナス端子３ｂ側に特徴がある。図２に示すように保持部２のマイナス端子３ｂ側には、マイナス端子３ｂの開放端部４の移動量を拘束するためのストッパ部材としてのリブ５が設けられている。また、マイナス端子３ｂは、その途中から開放端部４へ向かって約２５°の角度で折り曲げられている。リブ５は、マイナス端子３ｂ自体を電池保持装置１本体に固定する機能を備える。
【００２２】
図３に示すようにリブ５は、電池１１の挿入方向と平行に形成された棒状体であり、保持部２に挿入される電池１１の中心軸上に配置されている。また、リブ５は、図４の（ａ）から（ｃ）に示すように、電池１１（電池１１は公差内で最小長さとする。）を挿入して保持したときにマイナス端子３ｂの開放端部４に当接する位置に配置されている。なお、本実施の形態においては、公差内で最小の電池１１を挿入して図４（ｃ）に示すように電池１１の保持が完了したときに初めてマイナス端子３ｂの開放端部４がリブ５に接触する位置としている。
【００２３】
図５に図４（ｃ）で保持が完了したときの拡大した部分を示す。図６は、公差内で最大長さの電池を保持した場合の図４（ｃ）で保持が完了したときの拡大図である。
【００２４】
この構成によれば、公差内で最小長さの電池１１の場合であってもマイナス端子３ｂの開放端部４がリブ５に当接してその位置が固定されるので、当接後はマイナス端子３ｂが両端支持され、マイナス端子３ｂと電池１１との接点荷重が向上し、電池１１を強い保持力により保持することができる。また、この電池保持装置１では、リブ５がマイナス端子３ｂを電池保持装置１本体に固定する機能を兼ねているため、従来品と比較して部品点数は変わらない。
【００２５】
また、図６に示すように、公差内で最大長さの電池１２の場合には、マイナス端子３ｂの開放端部４がリブ５に当接した後、マイナス端子３ｂはリブ５に沿って広がるようにその２５°の折り曲げ部分を広げて変形し、電池１２を強い保持力により保持する。図７はマイナス端子３ｂの折り曲げ部中心のストロークと電池との接点荷重との関係を示す図である。
【００２６】
図７は、マイナス端子３ｂの折り曲げ部中心のストロークが約１ｍｍのところでマイナス端子３ｂの開放端部４がリブ５に当接し、その後は急激に接点荷重が増すことを示している。なお、図６に波線で示されるものは、リブ５がない場合の接点荷重である。
【００２７】
このように本実施の形態における電池保持装置１によれば、マイナス端子３ｂの弾性力により電池１１，１２を保持したときに、マイナス端子３ｂの開放端部４がリブ５に当接して固定されるので、当接後はマイナス端子３ｂが両端支持となり、電池１１，１２との接点荷重が向上する。これにより、電池１１，１２の保持部分の遊びが少なくなり、電池１１，１２は強い保持力により保持される。すなわち、電池１１，１２の公差が大きくても電池１１，１２の大きさに関わらず安定して保持し続けることが可能となり、落下等の衝撃による電源の瞬間的な遮断が防止される。
【００２８】
（実施の形態２）
図８は本発明の実施の形態２における電池保持装置を備えた携帯型電子機器としての親子電話装置の親機の外観図、図９は携帯型電子機器としての親子電話装置の子機の外観図、図１０は携帯型電子機器としての親子電話装置の親機の回路ブロック図、図１１は携帯型電子機器としての親子電話装置の子機の回路ブロック図である。
【００２９】
図８の外観の親子電話装置の親機２０と図９の外観の親子電話装置の子機３０を組にして親子電話機を構成する。
【００３０】
図１０の親子電話装置の親機２０において、使用者は操作部２１を操作することにより親機２０での通話操作などを行う。その操作信号により制御部２３が親機全体を制御する。通話の際には通話回路部２３で回線と接続し、受話器２４を用いて通話を行う。本実施例ではハンズフリー通話で通話を行うために受話器２４そのものは外観図には表れない。また、回線からの着信時には表示部２２で表示を行う。
【００３１】
また、子機３０で回線からの呼び出しに応答した場合、あるいは子機３０から発呼した場合は、子機３０から送信される制御信号の電波４０をコードレス通信部２５が受信し、制御部２３が通話回路部２６を制御し、発呼および通話を行う。通話状態になれば、使用者は受話器２４を用いて通話を行う。
【００３２】
図１１の親子電話の子機３０において、使用者は操作部３２を操作することにより子機３０での通話操作などを行う。その操作信号により制御部３１が子機全体を制御する。通話あるいは発呼の際には、操作部３２での操作信号により、制御部３１が発呼操作の表示、ダイヤル番号の表示などを表示部３３に表示する。
【００３３】
また、制御部３１は、コードレス通信部３５から制御信号の電波４０をコードレス親機へ向けて発信する。制御信号の電波４０を受信した親機２０は、ダイヤル発信や回線接続処理を行う。通話状態になれば、使用者は親機２０の通話回路部２６よコードレス通信部２５を経由した電波に重畳した音声信号を子機のコードレス通信部２５で送受信し、通話部３４で通話を行う。
【００３４】
この際、制御部３１、通話部３４、コードレス通信部３５の動作の際に電池３６の電源が使用される。親子電話の子機は持ち歩くものであり、その電源として電池が使用される。しかし、電池の接触が悪いと持ち運びながらの操作の途中で操作ができなかったり、通話の途中に通話が途切れたりすることがあった。本発明では、使用される電池の公差が大きくても電池の大きさに関わらず安定して電池を保持し続けることが可能となり、落下等の衝撃による電源の瞬間的な遮断が防止され、操作や通話が途切れることがないという効果を奏する。
【産業上の利用可能性】
【００３５】
本発明の電池保持装置は、電子機器の電源として使用される標準化された電池を保持す
る装置として有用である。特に、本発明は、電子機器に使用される電池の公差が大きくても電池の大きさに関わらず安定して電池を保持し続けることが可能な電池保持装置として好適である。
【図面の簡単な説明】
【００３６】
【図１】本発明の実施の形態における電池保持装置を備えた携帯型電子機器としての親子電話装置の携帯型子機であって、電池保持装置の蓋を取り外した状態の背面図
【図２】図１の電池保持装置を親子電話装置の内側からみた斜視図
【図３】図１の電池保持装置を親子電話装置の外側から見た斜視図
【図４】図１のＡ−Ａ線断面図であって、（ａ）から（ｃ）は順に電池が電池保持装置に挿入される様子を示す図
【図５】図４（ｃ）のマイナス端子側の拡大図
【図６】公差内で最大長さの電池を保持した場合の図４（ｃ）のマイナス端子側の拡大図
【図７】マイナス端子の折り曲げ部中心のストロークと電池との接点荷重との関係を示す図
【図８】親子電話装置の親機の外観図
【図９】親子電話装置の子機の外観図
【図１０】親子電話装置の親機の回路ブロック図
【図１１】親子電話装置の子機の回路ブロック図
【符号の説明】
【００３７】
１    電池保持装置
２    保持部
３ａ    プラス端子
３ｂ    マイナス端子
４    開放端部
５    リブ
１０    携帯型子機
１１、１２、３６    電池
２０    親子電話装置の親機
３０    親子電話装置の子機
【図１】
2006324028.tif 000003
【図２】
2006324028.tif 000004
【図３】
2006324028.tif 000005
【図４】
2006324028.tif 000006
【図５】
2006324028.tif 000007
【図６】
2006324028.tif 000008
【図７】
2006324028.tif 000009
【図８】
2006324028.tif 000010
【図９】
2006324028.tif 000011
【図１０】
2006324028.tif 000012
【図１１】
2006324028.tif 000013